(57)【要約】【課題】本発明は、冷暖房機から排出された風による平面の汚れを防止する冷暖房機における平面汚れ防止装置を提供することを課題とする。また、本発明は、様々なタイプの冷暖房機に汎用的に用いることができる冷暖房機における平面汚れ防止装置を提供することを課題とする。【解決手段】本発明の汚れ防止装置１は、天井２に埋設された冷暖房機３５の吹出口３付近の天井２を覆う面板部４と、面板部４と連結し、この面板部４の一方の面が平面に臨む位置で冷暖房機３５にその面板部４を取り付ける取付部５ａ，５ｂとから構成されている。【選択図】  図１
2005030655.tif 000002
【特許請求の範囲】
【請求項１】
平面に埋設された冷暖房機において、
前記冷暖房機に設けられた風を排出する吹出口付近の前記平面を覆う面板部と、
前記面板部と連結し、当該面板部の一方の面が前記平面に臨む位置で前記冷暖房機に当該面板部を取り付ける取付部と、
を備える冷暖房機における平面汚れ防止装置。
【請求項２】
前記取付部は、
前記平面と前記冷暖房機の間に形成された間隙に挿入可能なプレート状の固定部と、
当該固定部と前記面板部を連結するアーム部と、
を含み、
前記固定部は、
当該固定部の下面から垂下した、半円状の外周にノッチが形成された第一ノッチ部と、
当該第一ノッチ部の中心を貫通する第一貫通孔と、
を有する請求項１に記載の冷暖房機における平面汚れ防止装置。
【請求項３】
前記固定部は、前記隙間に差し込む側から次第に厚みを有する請求項２に記載の冷暖房機における平面汚れ防止装置。
【請求項４】
前記アーム部は、
一端に、前記第一貫通孔に挿通する第一突起部と、
当該第一突起部が前記第一貫通孔に嵌合した状態で前記第一ノッチ部のノッチと係合する尖鋭な第一係合部と、
を有し、
他端に、半円状の外周にノッチが形成された第二ノッチ部と、
当該第二ノッチ部の中心を貫通する第二貫通孔と、
を有する請求項２〜３の何れかに記載の冷暖房機における平面汚れ防止装置。
【請求項５】
前記アーム部は一辺が湾曲した鍵形状を成す請求項２〜４の何れかに記載の冷暖房機における平面汚れ防止装置。
【請求項６】
前記アーム部は、前記固定部の上面を前記面板部と面一となる位置まで前記第一突起部を回動中心として回動可能である請求項２〜５の何れかに記載の冷暖房機における平面汚れ防止装置。
【請求項７】
前記面板部は、
前記吹出口の幅に対応する幅を有する薄板からなり、下面には、前記薄板の左右両端の全長に亘ってフランジが垂下すると共に、中間部には取付リブが立設されており、
前記取付リブは、
前記面板部の下面から垂下する板状の本体部と、
当該本体部の両面から突出し、前記第二貫通孔に挿通される第二突起部と、
前記第二突起部が前記第二貫通孔に挿通された状態で第二ノッチ部のノッチと係合する尖鋭な第二係合部と、
を有する請求項１〜６の何れかに記載の冷暖房機における平面汚れ防止装置。
【請求項８】
前記取付部を取り付ける固定プレートを有し、
一方の面に、前記固定部の短手方向の幅の大きさと同じ大きさの間隔を空け立設した一対の立ち上がり部と、
一対の立ち上がり部の上端から互いが向き合う方向に設けられた鍔部と、
を有し、
他方の面に、粘着剤を塗布した粘着部を有する請求項１〜７の何れかに記載の冷暖房機における平面汚れ防止装置。
【発明の詳細な説明】
【０００１】
【発明の属する技術分野】
本発明は天井や壁面等の平面に埋設された冷暖房機による平面の汚れを防止する装置に関するものである。
【０００２】
【従来の技術】
近年は、ビル，店舗，病院等の大抵の屋内に冷暖房機（エアーコンディショナー等）が設置されている。屋内に設置される冷暖房機には、天井や壁等の平面に埋め込んで設置するタイプのものや、天井から吊すように設置するタイプのものや、壁に掛けて設置するタイプのもの等がある。
【０００３】
特に、天井に埋め込んで設置するタイプの冷暖房機は、見栄えや取り付けスペースの面からオフィスや店舗など多くの屋内に用いられている。
【０００４】
【発明が解決しようとする課題】
ところで、天井や壁に埋め込んで設置するタイプの冷暖房機は、矩形状のフレームパネルの中央に風を吸い込む吸込口が位置し、その吸込口の外側に風を吹き出す吹出口が位置するものが主流である。
【０００５】
図１６に冷暖房機１３５の吹出口１０３から風が吹き出されるイメージを示す。吹出口１０３は、冷暖房機１３５から排出される風を吸込口と反対の方向、つまり天井１０２面側に向かって送り出す為に、傾斜した内壁１３６と、この内壁１３６と対向する位置に設けられ、天井１０２面と連続するとともに天井１０２面側に向かって傾斜する傾斜面１２７とを有している。この傾斜面１２７により、吹出口１０３から排出された風は、吹出口１０３の真下だけでなくある程度の広がりをもった範囲に送られる。
【０００６】
ところが、この傾斜面１２７の傾斜により風が天井１０２に向かって流れる現象がおこり易くなった。この現象はコアンダー現象といい、物体と接する表面上の気流がその物体の形状に沿って誘導される現象のことである。
【０００７】
つまり、吹出口１０３から排出された風は、内壁１３６によって天井１０２側へ誘導され天井１０２面側に傾斜した傾斜面１２７を伝うように流れる。傾斜面１２７を伝った風は、天井面に衝突する。
【０００８】
吹出口１０３から排出される風は、吸込口から吸い込んだ空気を循環させたものである。吸込口から吸い込んだ空気は、フィルター等を通過させても埃，チリ，タバコの煙等の空気の汚れの原因を完全に取り除くことは難しい。
【０００９】
そのため、吹出口１０３から排出されるチリや埃を含んだ汚れた空気が天井１０２に衝突すると天井１０２面に汚れが付着してしまう。
【００１０】
このような天井の汚れを防止することは、病院，美容院，飲食店等清潔なイメージを重要視する場所において大きな課題であった。
【００１１】
冷暖房機から排出される風による天井の汚れを防止する方法には、冷暖房機の吹出口に設置され風の向きを調節するフィンの形状を変える方法や、吹出口から排出される風の風向を変化させる為の部材を冷暖房機のパネル全体に取り付ける方法等がある。
【００１２】
しかし、前者の方法は、既存の冷暖房機には適用することができず冷暖房機を一式取り替えなければならず実用性に欠け、後者の方法は、取り付け工事に手間がかかると共に取り付け可能な機種が限定されていたため汎用性に欠けるといった問題があった。
【００１３】
そこで、本発明は、このような事項に鑑みてなされたものであり、冷暖房機から排出された風による平面の汚れを防止する冷暖房機における平面汚れ防止装置を提供することを課題とする。
【００１４】
また、本発明は、様々なタイプの冷暖房機に汎用的に用いることができる冷暖房機における平面汚れ防止装置を提供することを課題とする。
【００１５】
【課題を解決するための手段】
本発明は、上記課題を解決するために以下の手段を採用した。すなわち、本発明は、平面に埋設された冷暖房機において、冷暖房機に設けられた風を排出する吹出口付近の平面を覆う面板部と、面板部と連結し、当該面板部の一方の面が平面に臨む位置で冷暖房機に当該面板部を取り付ける取付部とを備えることを特徴とする。
【００１６】
冷暖房機が天井に埋設されるタイプである場合、本発明は吹出口付近の天井を面板部で覆う。つまりこの面板部によって、吹出口から排出された汚れた風がコアンダー現象によって天井を汚してしまうことを防ぐことができる。
【００１７】
また、本発明にかかる取付部は、平面と冷暖房機との間に形成された間隙に挿入可能なプレート状の固定部と、その固定部と面板部を連結するアーム部とを含み、固定部は、その固定部の下面から垂下した、半円状の外周にノッチが形成された第一ノッチ部と、その第一ノッチ部の中心を貫通する第一貫通孔とを有することを特徴とする。
【００１８】
さらに、本発明に係るアーム部は、一端に、第一貫通孔に嵌合する第一突起部と、第一突起部が第一貫通孔に嵌合した状態で第一ノッチ部のノッチと係合する尖鋭な第一係合部とを有し、他端に、半円状の外周にノッチが形成された第二ノッチ部と、第二ノッチ部の中心を貫通する第二貫通孔とを有することを特徴とする。
【００１９】
これによって、固定部に設けられたノッチと、アーム部に設けられた第一係合部とは、係合する度にカチカチと音をたてて係止する。つまり、固定部とアーム部は、第一貫通孔に嵌合した第一突起部を回動軸として角度調整自在に回動することができる。
【００２０】
加えて、本発明に係る面板部は、吹出口の幅に対応する幅を有する薄板からなり、上面の左右両端の全長に亘ってフランジが立設されると共に、中間部には取付リブが立設されている。そして、取付リブは、面板部の下面側に垂下する板状の本体部と、本体部の両面から突出し、第二貫通孔に挿通される第二突起部と、第二突起部が第二貫通孔に挿通された状態で第二ノッチ部のノッチと係合する尖鋭な第二係合部とを有することを特徴とする。
【００２１】
これによって、面板部に設けられた第二係合部とアーム部に設けられたノッチとは、第二突起部を軸として回動する度に係合し、カチカチと音を立てて係止する。つまり、面板部とアーム部は第二突起部を回動中心として角度自在に回動することができる。
【００２２】
これらのことにより、本発明に係る冷暖房機における平面汚れ防止装置は、平面の汚れを防止するだけでなく、冷暖房機の吹出口から排出される風の向きを変えることもできる。
【００２３】
これによって、冷暖房機の近傍の人も、冷暖房の風の直撃を回避することができ、過度な暖房や冷房によって体調不良になる等の健康が害される不都合を阻止することができる。
【００２４】
また、面板部と取付部との角度を自在に調節することができるため、冷暖房機の取付位置と、吹出口から排出された風が平面に直撃する位置とにフレキシブルに対応することができる。
【００２５】
また、本発明に係る固定部は、隙間に差し込む側から次第に厚みを有することを特徴とする。つまり、本発明に係る固定部の差し込み側の厚みには、テーパがかかっているということである。
【００２６】
このような構成により、平面に埋設された冷暖房機と平面との間のわずかな隙間に挿入し易くなる。それと共に、固定部の厚みは挿入側から次第に厚みを増しているため、固定部は冷暖房機と平面とのわずかな隙間に強制的にはめ込まれる状態となる。
【００２７】
これによって、本発明の冷暖房機における平面汚れ防止装置の冷暖房機に対する固定力を高めることができる。また、隙間に固定部を更に強制的に勘合させる為に、本発明に係る固定部を片面側に湾曲をなすように形成してもよい。湾曲をなす固定部を隙間に挿入すると、湾曲部分が隙間によって嵌入されている状態となる
【００２８】
また、本発明に係るアーム部は一辺が湾曲した鍵形状としてもよい。このようにアーム部が鍵のような形状をしている場合、面板部の下面をアーム部で引っかけるようにして取付部と面板部とを取り付けることができる。これによって、ある程度の厚みを持った面板部や、周縁にフランジが設けられている面板部等であっても、取付部を取り付けることができる。
【００２９】
さらに、本発明に係るアーム部は、固定部の上面を面板部と面一となる位置まで第一突起部を回動中心として回動可能であることを特徴とする。つまり、本発明の冷暖房機における平面汚れ防止装置は、面板部を平面に対して平行に取り付けることができる。
【００３０】
これによって、本発明の冷暖房機における平面汚れ防止装置は、風向きを変えることなく平面の汚れを防止することができる。
【００３１】
さらに、本発明の冷暖房機における平面汚れ防止装置は、取付部を取り付ける固定プレートを有する構成としてもよい。この固定プレートは、一方の面に、固定部の短手方向の幅の大きさと同じ大きさの間隔を空け立設した一対の立ち上がり部と、一対の立ち上がり部の上端から互いが向き合う方向に設けられた鍔部とを有し、他方の面には、粘着剤を塗布した粘着部を有する。
【００３２】
固定プレートは、冷暖房機と平面との間に固定部を挿入するために十分な隙間がない場合好適に用いることができる。粘着部を冷暖房機の吹出口付近に貼り付け、そして、固定部を一対の立ち上がり部の間にスライドさせて挿入する。すると、鍔部が固定部の下面側を支持する状態となり、取付部が冷暖房機の吹出口付近に取り付けられることになる。
【００３３】
また、本発明は、平面に埋設された冷暖房機に設けられた、風を排出する吹出口付近に面板を取り付ける取付具とすることもできる。本発明の取付具は、平面と冷暖房機の隙間に挿入可能なプレート状の固定部と、その固定部と面板部を連結するアーム部とを有し、固定部は、固定部の下面から垂下した、半円状の外周にノッチが形成された第一ノッチ部と、第一ノッチ部の中心を貫通する第一貫通孔と有する。
【００３４】
さらに、アーム部は、鍵形状をなすと共に、一端に、第一貫通孔に嵌合する第一突起部と、第一突起部が貫通孔に嵌合した状態で第一ノッチ部のノッチと係合する尖鋭な第一係合部とを有し、他端に、半円状の外周にノッチが形成された第二ノッチ部と、第二ノッチ部の中心を貫通する第二貫通孔とを有することを特徴とする。
【００３５】
さらに、本発明に係る面板は、吹出口の幅に対応する幅を有する薄板からなり、上面の左右両端の全長に亘ってフランジが立設されると共に、中間部には取付リブが立設されている。この取付リブは、面板部の下面側に垂下する板状の本体部と、その本体部の両面から突出し、第二貫通孔に挿通される第二突起部と、第二突起部が第二貫通孔に挿通された状態で第二ノッチ部のノッチと係合する尖鋭な第二係合部とを有する。
【００３６】
【発明の実施の形態】
以下に、本実施の形態に係る冷暖房機における平面汚れ防止装置を詳細に説明する。
【００３７】
図１に本実施形態の冷暖房機における平面汚れ防止装置（以下、汚れ防止装置と称する）１の取付状態の斜視図を示し、図２に本実施形態の汚れ防止装置１の斜視図を示す。
【００３８】
本実施形態の汚れ防止装置１は、天井（平面）２に埋設された冷暖房機３５の吹出口３付近の天井２を覆う面板部４と、面板部４と連結し、この面板部４の一方の面が平面に臨む位置で冷暖房機３５にその面板部４を取り付ける取付部５ａ，５ｂとから構成されている。
【００３９】
図３に本実施形態に係る汚れ防止装置１の面板部４の斜視図を示す。面板部４は、長手方向の幅が冷暖房機３５の吹出口３とほぼ同幅の矩形プレート状の本体部６と、本体部６の長手方向の一端には略直角に垂下した垂下部７と、他端には垂下部７の垂下方向に向かって緩やかに湾曲した湾曲翼部８とを有している。
【００４０】
また、本体部６の短手方向両端には、全長に亘ってフランジ９が設けられてる。このフランジ９は、垂下部７及び湾曲翼部８と連続している。
【００４１】
さらに、本体部６の左右方向を三等分する位置それぞれに補強リブ１０ａ，１０ｂ，１０ｃが立設されている。三つの補強リブ１０ａ，１０ｂ，１０ｃのうち中心の補強リブ１０ｂの両側に位置する二つの補強リブ１０ａ，１０ｃには、取付リブ１１ａ，１１ｂが設けられている。
【００４２】
図４に、取付リブ１１ａ，１１ｂの先端の拡大図を示す。尚、取付リブ１１ａと取付リブ１１ｂとは同一の構成であるため、取付リブ１１ａのみ説明し、取付リブ１１ｂの説明は割愛する。
【００４３】
取付リブ１１ａは、補強リブ１０ａから立設した取付基板（基板部）１２と、取付基板１２に穿設された取付孔１３と、取付孔１３の両側の周縁から外方に突出した第一突起部２３と、第一突起部２３の上方に形成された空間部１５と、空間部１５を上下方向から遮る尖鋭の第二係合部１６とから構成されている。
【００４４】
次に、取付部５ａ，５ｂについて説明する。尚、取付部５ａと取付部５ｂとは同一の構成であるため取付部５ａのみ説明し、取付部５ｂの説明は割愛する。
【００４５】
図５に本実施形態にかかる取付部５ａの側面図を示す。取付部５ａは、平面と冷暖房機３５の隙間に挿入可能なプレート状の固定部１７と、この固定部１７と面板部４を連結するアーム部１８とからなる。
【００４６】
図６に本実施形態にかかる固定部１７の斜視図を示す。固定部１７は、冷暖房機３５の隙間に挿入されるプレート状の挿入板１９と、挿入板１９の長手方向に沿って垂下し、アーム部１８の上端を狭持し得るように平行する二枚の板からなる取付片２０ａ，２０ｂとを有している。
【００４７】
挿入板１９の厚みにはテーパがかかっており、挿入側の厚みは薄くなっている。これによって、挿入板１９を冷暖房機３５と天井２との隙間に嵌入して取付部５ａを狭持することができる。
【００４８】
また、取付片２０ａ，２０ｂの中央には、後述するアーム部１８に設けられた第一突起部２３が嵌合する嵌合孔（第一貫通孔）２１が設けられていると共に下端が略半円形の外周に沿ってノッチが多数形成された第一ノッチ部２２を有している。
【００４９】
アーム部１８は、図７に示すように、プレート状であり且つ一辺が湾曲した鍵形状の部品である。また、アーム部１８の一端には、両側面から外方に向けて突出し、固定部１７に設けられた嵌合孔２１と嵌合する第一突起部２３と、第一突起部２３から空間を介して設けられ、この空間を横切るように設けられた尖鋭の第一係合部３７とが設けられている。
【００５０】
また、アーム部１８の他端には、面板部４の取付リブ１１ａを狭持し得るために平行する半円状の二枚の板からなり、その外周にノッチが形成された第二ノッチ部２４と、この第二ノッチ部２４の中心を貫通する貫通孔（第二貫通孔）２５とが設けられている。
【００５１】
図９に固定部１７，アーム部１８，面板部４の連結状態を示す。上述した固定部１７，アーム部１８，面板部４は、アーム部１８を介して固定部１７と面板部４とが連結している。
【００５２】
以上が面板部４と取付部５ａ（５ｂ）との構成である。次に、固定部１７，アーム部１８，面板部４の連結状態について説明する。
【００５３】
図８に固定部１７，アーム部１８，面板部４の連結状態を示す。アーム部１８と固定部１７は、固定部１７に設けられた嵌合孔２１に、アーム部１８に設けられた第一突起部２３を挿入して取り付ける。すると、二枚が平行に設けられた固定部１７の第一ノッチ部２２にアーム部１８の一端が狭持された状態となる。
【００５４】
また、このときの第一係合部３７は、図９に示すように、第一ノッチ部２２のノッチと係合した状態となる。この状態のとき、図５に示すように、固定部１７とアーム部１８とが連結し、取付部５ａを形成する。
【００５５】
また、嵌合孔２１と第一突起部２３との嵌めあい公差は大きく形成されており、アーム部１８は第一突起部２３を回動軸として回動可能である。
【００５６】
加えて、アーム部１８及び固定部１７は軟質の樹脂で形成されている。そのため、アーム部１８が回動するに伴って、図１０に示すように、第一ノッチ部２２のノッチと、第一係合部３７とがカチカチと音を立てて噛み合い、係止する。つまり、第一ノッチ部２２のノッチと第一係合部３７とが係止する位置でアーム部１８と固定部１７とのなす角度が保持される。
【００５７】
また、図９に示すように、アーム部１８と面板部４とは、アーム部１８に設けられた貫通孔に面板部４の取付リブ１１ａに設けられた第二突起部３８を挿入して取り付ける。
【００５８】
すると、二枚が平行に設けられた第二ノッチ部２４に取付リブ１１ａの取付基板１２を狭持した状態となる。このような状態のとき、図８に示すように面板部４とアーム部１８とは連結された状態となる。
【００５９】
また、貫通孔と第二突起部３８とのはめあい公差は、大きく形成されており、アーム部１８は第二突起部３８を軸として回動することができる。
【００６０】
加えて、面板部４も軟質の樹脂で形成されている。そのため、アーム部１８が回動するに伴って、図９に示すように第二ノッチ部２４のノッチと、取付リブ１１ａ側の第二係合部１６がカチカチと音を立てて噛み合う。尚、第一ノッチ部２２と第二ノッチ部２４、及び第一係合部３７と第二係合部１６の構成は同じであるため、図９には同じ図面を用いている。
【００６１】
そして、第二ノッチ部２４と第二係合部１６は、互いに噛み合う度に係止する。このように、第二ノッチ部２４と第二係合部１６とが係合する位置で、アーム部１８と面板部４とのなす角度が保持される。
【００６２】
以上が、本実施形態に係る汚れ防止装置１の構成である。
【００６３】
次に、本実施形態の汚れ防止装置１の取付方法及び使用方法について説明する。本実施形態に係る汚れ防止装置１は、図１１に示す（１）天井２に埋設された冷暖房機３５と天井２との間にある隙間に取り付ける場合と、図１２に示す（２）壁に埋設された冷暖房機３５と天井２との間にある隙間に取り付ける場合と、図１３に示す（３）冷暖房機３５に直接取り付ける場合と、がある。
【００６４】
図１１に（１）の場合の汚れ防止装置１を取り付けた状態の図を示す。天井２に埋設された冷暖房機３５は、天井２の面と完全に面一になるわけではなく、冷暖房機３５のフレームパネル２６の部分は天井２面にセットされる。そのため、天井２とフレームパネル２６との間にわずかな隙間Ｓが形成されることになる。
【００６５】
この隙間Ｓに、本実施形態に係る汚れ防止装置１を取り付ける。詳細には、取付部５ａを構成する挿入板１９を隙間Ｓに嵌入する。前述したように、挿入板１９は、挿入側の厚さが薄く形成されているため隙間Ｓに入りやすい。また、挿入板１９の厚さは挿入方向に向かうに従って厚くなるため、挿入板１９は隙間Ｓに圧入された状態となる。このような状態により、汚れ防止装置１は、天井２と冷暖房機３５との隙間に強固に取り付けられる。
【００６６】
挿入板１９を隙間Ｓに嵌入した後、面板部４の上面が天井２面と当接するまで面板部４を回動させる。固定部１７とアーム部１８は、固定部１７に設けられた第一ノッチ部２２とアーム部１８に設けられた第一係合部３７とが係合する位置で係止された状態となる。
【００６７】
このとき、面板部４は、本体部６の上面が固定部１７の挿入板１９の上面と面一となる位置までアーム部１８の第一突起部２３を軸として回動した状態となる。
【００６８】
すると、図１４に示すように、冷暖房機３５の吹出口３から排出された風は、吹出口３から天井２へと続く傾斜面２７を沿って天井２に向かって流れる。
【００６９】
しかし、本実施形態に係る汚れ防止装置１は、面板部４が天井２を覆っているため、風が天井２に衝突することを妨げることができる。
【００７０】
このように、本実施形態の汚れ防止装置１は、面板部４を天井２の面と当接させる位置まで回動させ天井２を覆うことができるため、天井２の汚れを防止することができる。
【００７１】
また、本実施形態の汚れ防止装置１は、図１０に示すように、第一ノッチ部２２，第二ノッチ部２４が第一係合部３７，第二係合部１６と係合することで、天井２に対する面板部４の保持角度を自在に変更することができるため、吹出口３から排出される風の向きを変更する役割も果たすことができる。
【００７２】
図１２に示すように（２）の壁面２８に埋設された冷暖房機３５に本実施形態の汚れ防止装置１を取り付けた状態図を示す。
【００７３】
冷暖房機３５が壁面２８に埋設された場合、壁面２８とフレームパネル２９との間に隙間Ｓが形成される。この隙間Ｓに固定部１７の挿入板１９を挿入する。このように、挿入板１９を隙間Ｓに嵌入することにより、汚れ防止装置１を取り付けることができる。
【００７４】
また、図１３に示すように（３）の冷暖房機３５に本実施形態の汚れ防止装置１を直接取り付ける場合は、挿入板１９の上面を冷暖房機３５のフレームパネル３４表面に接着して取り付けることもできるが、図１５、図１６に示す固定用具３０を用いると好ましい。
【００７５】
固定用具３０は、取付部５ａと取付部５ｂをつなぐ長さを有した帯状のプレートである。この固定用具３０の一方の面には、固定部１７の短手方向の幅の大きさと同じ大きさの間隔を空け立設した一対の立ち上がり部３１ａ，３１ｂが二組（立ち上がり部３１ｃ，３１ｄ）と、立ち上がり部３１ａ，３１ｂ及び３１ｃ，３１ｄの上端から互いが向き合う方向に設けられた鍔部３２ａ，３２ｂ，３２ｃ，３２ｄとを有している。尚、二組の立ち上がり部３１ａ，３１ｂ，３１ｃ，３１ｄは、汚れ防止装置１の取付部５ａに対応する位置まで間隔を空けて設けられている。
【００７６】
また、図１６に示すように固定用具３０の他方の面には、粘着剤を塗布した粘着部３３が形成されている。
【００７７】
図１３に示すように、この固定用具３０は、冷暖房機３５の吹出口３付近のフレームパネル３４に粘着部３３を直接貼り付ける。そして、固定用具３０を冷暖房機３５の吹出口３付近のフレームパネル３４に付着した後、立ち上がり部３１ａ，３１ｂの間及び立ち上がり部３１ｃ，３１ｄの間に取付部５ａ，取付部５ｂの挿入板１９をスライドさせる。すると、挿入板１９は鍔部３２ａ，３２ｂ（３２ｃ，３２ｄ）により抑えられた状態となる。
【００７８】
このように、固定用具３０を用いることにより、天井２や壁面２８に埋設された冷暖房機３５との間に挿入板１９を挿入するだけの隙間が形成されていない場合であっても、本実施形態の汚れ防止装置１を取り付けることが可能となる。つまり、本実施形態に係る固定用具３０を用いることで汚れ防止装置１を汎用的に用いることができるようになる。
【００７９】
＜その他＞
さらに、本実施形態は以下の発明を開示する。また、以下の発明（以下、付記と称す）の何れかに含まれる構成要素を他の付記の構成要素と組み合わせてもよい。
（付記１）
平面に埋設された冷暖房機に設けられた、風を排出する吹出口付近に面板を取り付ける取付具であって、
前記平面と前記冷暖房機の隙間に挿入可能なプレート状の固定部と、
当該固定部と前記面板部を連結するアーム部と、
を有し、
前記固定部は、
当該固定部の下面から垂下した、半円状の外周にノッチが形成された第一ノッチ部と、
当該第一ノッチ部の中心を貫通する第一貫通孔と、
を有し、
前記アーム部は、鍵形状をなすと共に、
一端に、前記第一貫通孔に嵌合する突起部と、
当該突起部が前記貫通孔に嵌合した状態で前記第一ノッチ部のノッチと係合する尖鋭な第一係合部と、
を有し、
他端に、半円状の外周にノッチが形成された第二ノッチ部と、
当該第二ノッチ部の中心を貫通する第二貫通孔と、
を有する取付具。
（付記２）
前記面板は、
前記吹出口の幅に対応する幅を有する薄板からなり、上面の左右両端の全長に亘ってフランジが立設されると共に、中間部には取付リブが立設されており、
前記取付リブは、
前記面板部の下面側に垂下する板状の本体部と、
当該本体部の両面から突出し、前記第二貫通孔に挿通される支軸部と、
前記支軸部が前記第二貫通孔に挿通された状態で第二ノッチ部のノッチと係合する尖鋭な第二係合部と、
を有する付記１に記載の取付具。
【００８０】
【発明の効果】
本発明によれば、冷暖房機から排出された風による平面の汚れを防止する冷暖房機おにおける平面汚れ防止装置を提供することができる。
【００８１】
また、本発明によれば、様々なタイプの冷暖房機に汎用的に用いることができる冷暖房機における平面汚れ防止装置を提供することが可能となる。
【図面の簡単な説明】
【図１】本実施形態に係る汚れ防止装置の取り付け状態を示す斜視図である。
【図２】本実施形態に係る汚れ防止装置の斜視図である。
【図３】本実施形態に係る面板部の斜視図である。
【図４】本実施形態に係る取付リブの拡大図である。
【図５】本実施形態に係る取付部の側面図である。
【図６】本実施形態に係る固定部の斜視図である。
【図７】本実施形態に係るアーム部の斜視図である。
【図８】本実施形態に係る固定部，アーム部，面板部の連結状態を示す一部断面図である。
【図９】本実施形態に係る係合状態を示す図である。
【図１０】本実施形態に係る取付部と面板部との連結状態を示す一部断面図である。
【図１１】本実施形態に係る汚れ防止装置の天井への取付状態を示す図である。
【図１２】本実施形態に係る汚れ防止装置の壁面への取付状態を示す図である。
【図１３】本実施形態に係る汚れ防止装置の冷暖房機への取付状態を示す図である。
【図１４】本実施形態に係る汚れ防止装置の取付時の風の流れを示すイメージ図である。
【図１５】本実施形態に係る固定用具の取付状態を示す斜視図である。
【図１６】本実施形態に係る固定用具の斜視図である。
【図１７】従来の冷暖房機から吹き出す風のながれを示すイメージ図である。
【符号の説明】
１  防止装置
２，１０２  天井
３，１０３  吹出口
４  面板部
５ａ，５ｂ  取付部
６  本体部
７  垂下部
８  湾曲翼部
９  フランジ
１０ａ，１０ｂ  補強リブ
１１ａ，１１ｂ  取付リブ
１２  取付基板
１３  取付孔
１４  第一突起部
１５  空間部
１６  第二係合部
１７  固定部
１８  アーム部
１９  挿入板
２０ａ，２０ｂ  取付片
２１  嵌合孔
２２  第一ノッチ部
２３  第一突起部
２４  第二ノッチ部
２６，２９，３４  フレームパネル
２７，１２７  傾斜面
２８  壁面
３０  固定用具
３１ａ，３１ｂ，３１ｃ，３１ｄ  立ち上がり部
３２ａ，３２ｂ，３２ｃ，３２ｄ  鍔部
３３  粘着部
３５，１３５  冷暖房機
３７  第一係合部
３８  第二突起部
１３６  内壁
Ｓ  隙間
【図１】
2005030655.tif 000003
【図２】
2005030655.tif 000004
【図３】
2005030655.tif 000005
【図４】
2005030655.tif 000006
【図５】
2005030655.tif 000007
【図６】
2005030655.tif 000008
【図７】
2005030655.tif 000009
【図８】
2005030655.tif 000010
【図９】
2005030655.tif 000011
【図１０】
2005030655.tif 000012
【図１１】
2005030655.tif 000013
【図１２】
2005030655.tif 000014
【図１３】
2005030655.tif 000015
【図１４】
2005030655.tif 000016
【図１５】
2005030655.tif 000017
【図１６】
2005030655.tif 000018
【図１７】
2005030655.tif 000019